(57)【要約】【課題】端子台への端子カバーの取付固定を、固定ねじを用いて確実な固定状態の維持と確かな取付感を得ながらも、端子カバーの閉状態から開状態への移行が簡単に行える一方、開状態を一時的に保持でき、なおかつ開状態から閉状態への移行をも簡単に行える端子カバーの構造を提供すること。【課題を解決するための手段】端子台２００に対し回動して開閉自在に設けられて、固定ねじ３００により端子台２００にねじ止め固定される端子台の端子カバー構造を、前記端子カバー１００を樹脂形成するとともに、前記固定ねじ３００のねじ胴体部は貫通するがねじ頭部は貫通しない大きさに形成した小孔部１０２と、該小孔部１０２と連通して、前記固定ねじ３００のねじ頭部がくぐり抜け可能に前記小孔部１０２よりも大きく形成した大孔部１０３とを形成して構成した。【選択図】図１
2014110116.tif 000002
【特許請求の範囲】
【請求項１】
端子台に対し回動して開閉自在に設けられた端子カバーが、固定ねじにより端子台にねじ止め固定される端子台の端子カバー構造であって、
前記端子カバーは樹脂形成されるとともに、
前記固定ねじのねじ胴体部が貫通する一方、ねじ頭部は貫通しない大きさに形成された小孔部と、
該小孔部と連通して、前記固定ねじのねじ頭部がくぐり抜け可能に前記小孔部よりも大きく形成された大孔部と、
が形成されることを特徴とする端子カバー構造。
【請求項２】
前記大孔部は、前記小孔部に対し、前記端子カバーの中央部寄りに形成されることを特徴とする請求項１記載の端子カバー構造。
【請求項３】
前記端子カバーは、開閉動作を回動自在に支持するヒンジ部を備え、
前記端子カバーが閉状態から開状態に回転する際に、前記大孔部から小孔部に至る段差部分が、
固定状態から緩められた固定ねじの頭部に当接しながら弾性的に撓み、首下部分をくぐり抜けながら回転していき、
再び前記端子カバーが開状態から閉状態に回転する際に、前記段差部分が前記固定ねじの頭部に当接して、その位置で仮固定されることを特徴とする請求項１又は請求項２に記載の端子カバー構造
【発明の詳細な説明】
【技術分野】
【０００１】
本発明は、開閉自在に設けられる端子台の端子カバーの構造に関するものであり、特に、端子カバーが端子台に対して固定ねじにより取り付け固定される端子カバーに関する。
【背景技術】
【０００２】
従来、開閉自在に設けられた端子カバーの構造としては、例えば特許文献１或いは特許文献２に示されたようなものがあった。
【０００３】
まず、特許文献１に開示された端子カバーの構造は、端子台１における３個の端子ネジ３全体を覆う保護用の方形で透明なカバー２に、各側壁１Ａ，１Ｂの支点用穴１ａに対応する支軸２ａと、同じくその各ロック用穴１ｂに対応するロック用突起２ｂがそれぞれ上下両面に設けられるものである。
【０００４】
本構造によれば、カバー２は、その上下の各支軸２ａが各側壁１Ａ，１Ｂの支点用穴１ａに嵌合して旋回可能に支持されるとともに、端子ネジ３全体を覆う位置（閉位置）で上下の各ロック用突起２ｂが各側壁１Ａ，１Ｂの右側のロック用穴１ｂに係合して仮止めされ（図２の実線表示参照）、また左側に旋回して開位置で、ロック用突起２ｂが各側壁１Ａ，１Ｂの左側のロック用穴１ｂに係合して仮止めされる。
【０００５】
したがって、カバーを開放位置に仮止めして、端子への配線接続や試験を迅速、容易かつ安全にすることができるとともに、配線接続後や試験後にはカバーを端子全体を覆う位置に戻して仮止めし、端子全体を保護することができるという効果を奏する。
【０００６】
次に、特許文献２に開示された端子カバーの構造は、一端側が隔壁８の上端に蝶番１７によって開閉自在に蝶着されるとともに、端子カバー９の閉塞時において、他端側の裏面に形成された係合突起１８が、隔壁８に形成された係合部１９と係合することにより閉塞するものである。
【０００７】
端子カバー９を閉塞するには、端子カバー９の他端側の上面を押圧して端子カバー９の係合突起１８を隔壁８の係合部１９に係合させて固定する。また、端子カバー９を開放するには、端子カバー９を湾曲させるように他端側を持ち上げて係合を解除することにより端子カバー９を開放できる。また、隔壁８の蝶番１７には突起２０が形成され、端子カバー９を開放した際に突起２０に係止させることで開放状態を保持できるようになっているものである。
【０００８】
一方、端子カバー９を閉じた状態で保持させる場合には、封印ねじ２１により端子カバー９を隔壁に螺着する。即ち、中央の隔壁８に形成された封印ねじ２１が螺合するねじ孔２２に対して、端子カバー９の表側から、該ねじ孔２２と対向するように端子カバー９に穿設されたねじ挿通孔２３を貫通させて、端子カバー９を封印ねじ２１を螺着固定する。
【０００９】
本端子カバーの構造によれば、端子カバー９は、一次送り用端子台１の送り用端子４と入線用端子５及びブレーカ６の電源側端子１１の上部を同時に被覆しているため、端子カバー９を開放するだけですべての端子の増し締め作業が行え、また、端子カバー９は隔壁８に蝶着されているため、結線作業時に端子カバー９を基台２から取り外す必要がないので手間がかからず、端子カバー９を紛失する虞もないという効果を奏する。
【先行技術文献】
【特許文献】
【００１０】
【特許文献１】特開平８−２３６１７７号公報（図１）
【特許文献２】特開２００２−４２９１８号公報（図１）
【発明の概要】
【発明が解決しようとする課題】
【００１１】
しかしながら、特許文献１に開示された端子カバーの構造においては、カバーに設けられたロック用突起が端子カバーの開閉を繰り返すうちに、経年的に摩耗し、ロック状態が保持できなくなるおそれがあるという課題を有する。端子台は一度設置すると長年使用されることが多い。１０年、２０年と使用されるうちに樹脂形成されたロック用突起が摩耗していき、仮止め機能が失われ、位置固定ができなくなることが想定される。確実に仮止めできたという操作の感覚が得られにくくなってくるという課題もある。また、端子への電線接続時に、電線を共締めするような場合など、電線が隔壁端部から端子上方にはみ出るような場合においては、仮止め可能な力を超えて端子カバー９が仮止めできなくなる場合が想定される。このような場合においては、カバーを開けた状態で保持しにくくなり、また、仮止めの保持力の大きさによってはカバーが閉まった状態にならず、開いた状態となってしまい、端子部が外部に露出してしまうというおそれも想定される。
【００１２】
特許文献２に開示された端子カバーの構造においては、端子カバーの閉塞を、端子台と端子カバーとの係合によって行うことに加え、封印ねじにより端子カバーを端子台に螺着する構造であるから、経年的に係合部が摩耗しても、封印ねじにより閉塞状態を保持できると想定される。一方、端子カバー９を開けた状態にあっては、隔壁８の蝶番１７に形成された突起２０が摩耗してくると端子カバー９を開けた状態で保持しにくくなり、端子ねじに導体を接続するなどの作業中に、端子カバー９が倒れ掛かり作業の妨げになってしまうことが想定される。また、該閉塞状態から端子カバーを開放状態にするには、前記封印ねじを一旦取り去ってしまわなければならず、該封印ねじを紛失してしまうおそれがある。作業効率性という観点からみると、封印ねじを一旦取り去る作業に加えて、再度封印ねじを端子台に一からねじ込む作業が発生し、端子カバーの開閉作業に手間がかかるという課題が想定される。さらに、経年的にみると、端子台から封印ねじを取り去る必要があるため、再び該端子台に設けたねじ穴に封印ねじをねじ込む際に締め付け具合が悪いとねじ穴を傷つけ、該ねじ穴を損傷させてしまい、封印ねじが締め付けられなくなる、というおそれがある。
【００１３】
そこで、本発明は、上記課題に鑑みてなされたもので、端子台への端子カバーの取付固定を、固定ねじを用いて確実な固定状態の維持と確かな取付感を得ながらも、端子カバーの閉状態から開状態への移行が簡単に行える一方、開状態を一時的に保持でき、なおかつ開状態から閉状態への移行をも簡単に行える端子カバーの構造を提供することを目的とする。
【課題を解決するための手段】
【００１４】
本発明に係る端子カバー構造は、上述の課題を解決すべく構成されたもので、端子台に対し回動して開閉自在に設けられた端子カバーが、固定ねじにより端子台にねじ止め固定される端子台の端子カバーを、樹脂形成するとともに、前記固定ねじのねじ胴体部が貫通する一方、ねじ頭部は貫通しない大きさに形成された小孔部と、該小孔部と連通して、前記固定ねじのねじ頭部がくぐり抜け可能に前記小孔部よりも大きく形成された大孔部とを形成して構成したことを特徴とする。
【００１５】
かかる構成によれば、前記固定ねじのねじ胴体部が前記小孔部を貫通することにより、端子カバーがねじ締め固定される一方、端子カバーを開けるときには、固定状態から緩めたねじ頭部が前記大孔部をくぐり抜けるように変位して、端子カバーが閉状態から開状態に変位できるため、ねじ締めによる確実な固定と確かな取付感が得られながらも、端子カバーを開けた後は、前記小孔部が緩めたねじ頭部に当接することにより、端子カバーの開状態を一時的に保持することができる。また、開状態の端子カバーを閉状態の方向に押していくと、樹脂形成された小孔部の部分が、押される力に屈して変形し、再び、ねじ頭部が前記大孔部をくぐり抜けるように変位して、端子カバーが開状態から閉状態に変化できる。
【００１６】
また、前記大孔部は、前記小孔部に対し、前記端子カバーの中央部寄りに形成される構成を採用することができる。
【００１７】
かかる構成によれば、前記大孔部は、前記小孔部に対し前記端子カバーの中央部寄りに形成されるから、端子カバーが開閉するときに、固定ねじ胴体部が位置する小孔部の変位が少なくなり、一方で、より中央部に形成された大孔部は大きな回転半径となる変位となるから、ねじ胴体部よりも高い位置にあるねじ頭部を端子カバーに貫挿させることができる。
【００１８】
また、前記端子カバーは、開閉動作を回動自在に支持するヒンジ部を備え、前記端子カバーが閉状態から開状態に回転する際に、前記大孔部から小孔部に至る段差部分が、固定状態から緩められた固定ねじの頭部に当接しながら弾性的に撓み、首下部分をくぐり抜けながら回転していき、再び前記端子カバーが開状態から閉状態に回転する際に、前記段差部分が前記固定ねじの頭部に当接して、その位置で仮固定される構成を採用することができる。
【００１９】
かかる構成によれば、端子カバーが開閉するときに、前記大孔部から小孔部に至る段差部分が、固定状態から緩められた固定ねじの首下部分をくぐり抜けながら回転していくとともに、前記固定ねじ頭部が前記大孔部をくぐり抜けて開状態に変位していく。一方、開状態の端子カバーを閉めるときには、前記段差部分が固定ねじ頭部に当接してその位置で仮固定されるため、端子への導体接続時などの作業のときに端子カバーが端子ねじの上方に覆いかぶさらず、作業の妨げにならない。また、経年的な使用により段差部分が徐々に摩耗してきた場合には、固定ねじの緩め具合を変えることで、段差部分の当接量を容易に調整できるため、前記仮固定されるときの保持力を適宜設けて、仮固定の状態を維持させることができる。
【発明の効果】
【００２０】
以上の如く、本発明によれば、端子台への端子カバーの取付固定を、固定ねじを用いて確実な固定状態の維持と確かな取付感を得ながらも、端子カバーの閉状態から開状態への移行が簡単に行える一方、開状態を一時的に保持でき、なおかつ開状態から閉状態への移行をも簡単に行える端子カバーの構造を提供することができる。
【図面の簡単な説明】
【００２１】
【図１】第１の実施形態を示す端子カバーの斜視図を示す。
【図２】同実施形態に係る端子カバーの開閉状態を示す。
【図３】同実施形態に係る端子カバーを端子台に装着し固定ねじを途中まで締め込んだ図を示す。
【図４】同実施形態に係る端子カバーが固定ねじをくぐり抜ける状態を表す図を示す。
【図５】同実施形態に係る端子カバーが開状態で保持される状態を表す図を示す。
【図６】同実施形態に係る端子カバーにおける固定ねじを締め込んだ図を示す。
【図７】同実施形態に係る端子カバーにおける固定ねじを途中まで締め込んだ図を示す。
【図８】同実施形態に係る端子カバーが固定ねじをくぐり抜ける状態を表す図を示す。
【図９】同実施形態に係る端子カバーにおける固定ねじを途中まで締め込んだ図を示す。
【図１０】従来例におけるハンドルロック装置を示す。
【図１１】従来例におけるハンドルロック装置を示す。
【発明を実施するための形態】
【００２２】
本発明における端子カバーは、端子台に装着されて、端子ねじの上方を覆うことにより外部から端子ねじへの接触を妨げる閉状態と、端子ねじの上方を開放することにより外部から端子ねじの締付／緩め操作を行える開状態とを、該端子カバーを端子台から取り外してしまうことなく取り得て，なおかつ，開状態にて一時的に保持することができる端子カバーである。
【００２３】
端子カバーは、閉状態において端子台に固定ねじによりねじ止め固定され確実な取付固定が行える。端子カバーを閉状態から開状態に操作するときには、前記固定ねじを緩めるだけで、取り外すことなく端子カバーを開状態にせしめることが可能となっている。
【００２４】
端子カバーを開けた後は、前記小孔部が緩めたねじ頭部に当接することにより、閉状態への移行が抑制され、端子カバーの開状態を一時的に保持することができる。
【００２５】
端子カバーを開状態から閉状態に操作するときには、手などで端子カバーを閉状態の方向に動かしていくと、樹脂形成された小孔部の部分が、押される力に屈して変形し、再び、ねじ頭部が前記大孔部をくぐり抜けるように変位して、端子カバーが開状態から閉状態となり、その状態で固定ねじを締め付けることによって、閉状態を保持することが可能となっている。
【００２６】
本実施形態に係る端子カバーの構成について、図１、図２を参酌しつつ説明する。図１には端子カバーの外観斜視図を示し、図２には該端子カバーが開閉する状態図を示す。
【００２７】
端子カバー１００は、端子を覆うための端子覆い部１０１が、端子台に装着される端子台支持部１０５と、薄肉形成されたヒンジ部１０４を介して一体に形成されたものである。これら端子覆い部１０１及び端子台支持部１０５は、絶縁物である樹脂材料からなり、端子覆い部１０１は略方形の平面状に設けられている。
【００２８】
端子覆い部１０１における長辺の中央部分には固定ねじのねじ胴体部が貫通する大きさに形成された小孔部１０２が設けられるとともに、該小孔部１０２と連通して、該小孔部１０２から方形の中央寄りに前記固定ねじの頭部がくぐり抜け可能な程度の大きさに形成された大孔部１０３が設けられている。また、大孔部１０３の長辺方向両側には円形の孔部が形成されている。該孔部は、端子カバー１００の外部から端子台の端子ねじにテスター等をあてがい電路における絶縁等の確認を行うためのものである。
【００２９】
前記端子覆い部１０１の長辺側一端には、該端子覆い部１０１を端子台に対して開閉自在に回動させるためのヒンジ部１０４が端子台支持部１０５と一体に薄肉形成されている。該ヒンジ部１０４は、端子覆い部１０１が開状態で初期位置となるよう形成されており、ヒンジ部１０４の弾性力により、一旦閉状態に変位させた後、手を放すと初期位置である開状態の方向に回転していく。
【００３０】
なお、前記ヒンジ部１０４は、小孔部１０２を避けて端子覆い部１０１の長辺方向に亘り形成されているが、端子覆い部１０１と端子台支持部１０５とを一体に設けるものであれば長辺方向において部分的に形成してもよい。
【００３１】
端子台支持部１０５は、端子台の一側端に面して取り付けられるものである。本実施形態では、端子として２つの端子を備えた端子台を例として挙げており、前記端子覆い部１０１の長辺側の長さ、即ち端子台支持部１０５の幅は、該２つの端子を備えた端子台の長さに合わせて形成している。
【００３２】
図２において、端子覆い部１０１が閉状態から開状態になる場合、又は開状態から閉状態になる場合においての、小孔部１０２及び大孔部１０３の周縁部がなす軌跡を点線で示している。この点線で示した部分の軌跡は、前記小孔部１０２及び大孔部１０３の周縁部がなす略とっくり状の形状がヒンジ部１０４を中心として回転することにより得られる回転軌跡であり、この部分が端子覆い部１０１の開閉により生まれる空間Ｇである。
【００３３】
端子覆い部１０１を端子台に固定する固定ねじは、端子覆い部１０１を開けるときには締め付けた状態から緩められるが、この緩められた固定ねじの端子台から露出している首下部分の長さＬが、端子覆い部１０１における、大孔部１０３から小孔部１０２に至る段差部１０３ａとヒンジ部１０４が設けられている側の端部との距離ｘよりも短い場合には、前記空間Ｇにおけるｘの部分の軌跡と固定ねじの頭部が当接する。すなわち、端子覆い部１０１の開閉の妨げとなる。
【００３４】
前記段差部１０３ａにおける２つの角部１０３ａＲは円弧状に角がとられており、前記当接部分の保持力が開閉力に対して屈しやすいように構成している。すなわち、端子覆い部１０１を閉状態から開状態に変位させるときに、段差部１０３ａにおける角部１０３ａＲが固定ねじの頭部と当接しても変位させやすくしている。
【００３５】
一方、端子覆い部１０１を開状態にした後は、ヒンジ部１０４の弾性力により前記初期位置となる開状態に端子覆い部１０１が保たれる。
【００３６】
また、端子への導体接続作業時などに、端子覆い部１０１に道具や手などが触れて、閉状態の方向に力が加わった場合においても、前記段差部１０３ａと固定ねじ頭部が当接することにより、不用意に閉状態に変位することが抑制される。
【００３７】
なお、経年的にヒンジ部１０４の弾性力が失われていき、開状態である倒立状態から、閉状態である倒伏状態に変位していく場合には、前記段差部１０３ａが固定ねじの頭部と当接することにより閉状態への変位が抑制される。さらに、前記段差部１０３ａが当接を繰り返すことにより、摩耗していき、前記距離ｘが短くなった場合においては、作業時に前記長さＬを、距離ｘに対応させて短くすることにより、即ち、固定ねじを緩める量を減少させることにより、摩耗した段差部１０３ａを補って、再び固定ねじの頭部との当接を復活させることができる。
【００３８】
次に、端子カバー１００を端子台に適用した図を、図３乃至図８に示す。図３、図６は端子台２００に端子カバー１００を取付け、固定ねじ３００を緩めた状態の図を示す。図４、図７は、端子覆い部１０１を開状態の方向に開けていく途中の図を示す。図５、図８は端子覆い部１０１を固定ねじ３００によって取付固定した図を示す。
【００３９】
これらの図を用いて、端子覆い部１０１の開閉を説明する。
【００４０】
まず、図６、図９のように、端子覆い部１０１を固定ねじ３００によって取付固定した場合について説明する。固定ねじ３００は、端子台２００の隔壁２０３表面に設けられたねじ穴にねじ締め装着される。端子覆い部１０１の中央部は端子台２００の隔壁２０２に当接して、また、長辺方向における両端部は、端子台２００の隔壁２０２及び側壁２０１表面に当接して、取付固定される。
【００４１】
小孔部１０２は、固定ねじ３００のねじ胴体部が貫通する程度の大きさに設けられているため、固定ねじ３００を締め付けた場合には、固定ねじの頭部によって、小孔部１０２の両側が押圧されて固定される。
【００４２】
次に、図３、図７のように、固定ねじ３００を緩めた場合について説明する。固定ねじ３００が締まった状態から、固定ねじを所定量緩めた場合、前記小孔部１０２の両側が固定ねじ頭部による押圧状態から解かれ、端子覆い部１０１が開く方向に自由な状態となる。固定ねじの端子台から露出している首下部分の長さＬが、端子覆い部１０１における前記段差部１０３ａとヒンジ部１０４が設けられている側の端部との距離ｘよりも短い場合、固定ねじ３００の露出部分が前記空間Ｇ内に位置せず、段差部１０３ａが固定ねじ３００の頭部に当接する。さらに、端子覆い部１０１を開いていくと、段差部１０３ａの角部１０３ａＲが開いていく力に屈し、弾性的に撓み、該段差部１０３ａが固定ねじ３００の首下部分をくぐり抜けながら回動変位するとともに、固定ねじ頭部が大孔部１０３をくぐり抜けるため、（図４、図８）固定ねじ３００を取り去ってしまうことなく、端子覆い部１０１を閉状態から開状態に変位させることができる。
【００４３】
なお、緩める所定量は、作業の効率を鑑み、固定ねじ３００を略１回転すると該所定量に相当するよう形成している。本実施形態では距離ｘ＝３ｍｍとしている。
【００４４】
閉状態から、固定ねじ３００の位置を超えて開状態となった端子覆い部１０１は、ヒンジ部１０４の弾性力により、閉状態の方向には戻りにくい。また、端子覆い部１０１に対して不用意に閉状態の方向に力が加わったとしても、段差部１０３ａが固定ねじの頭部と当接するため、当接位置にて閉状態への変位が抑制されて開状態が保持される。
【００４５】
このように設けられた本発明の端子カバー１００を用いて、端子部における導体接続等の作業を行う場合について説明する。
【００４６】
端子覆い部１０１が図５のように閉められている状態において、固定ねじ３００を１回転左に回して緩める。すると、図３のように固定ねじ３００が端子台から露出してくる。このとき、固定ねじ３００は端子台３００に取り付けられたままであり端子台２００から固定ねじ３００を取り外す必要がない。また、図中示した固定ねじの首下部分の長さＬは、前記距離ｘよりも短い状態である。なお、長さＬと距離ｘの差は１ｍｍ程度で充分である。
【００４７】
そして、図４のように、端子覆い部１０１を開けていくと、固定ねじ３００は前記空間Ｇ内を相対的に移動していき、段差部１０３が固定ねじ３００の頭部と一旦当接する。そのまま、さらに端子覆い部１０１を開けていくと、段差部１０３ａの角部１０３ａＲが開ける力に屈して撓み、ついには固定ねじの首下部分を段差部１０３ａがくぐり抜けて、ねじ頭部が大孔部１０３の部分を、ねじ胴体部が小孔部１０２の部分をくぐり抜けることにより、端子覆い部１０１を開状態とすることができる。
【００４８】
この状態で、端子ねじを緩めて導体を接続する等作業を行うが、作業時には、端子覆い部１０１はヒンジ部１０４の弾性力、ならびに、段差部１０３ａが固定ねじ頭部に当接することによって、図５のように開状態が保たれる。したがって、導体の接続等作業の妨げにならない。
【００４９】
作業終了後、再び端子覆い部１０１を図３の状態に閉めていく場合には、一旦、段差部１０３ａが固定ねじ頭部に当接した後、そのまま端子覆い部１０１を閉状態の方向に変位させていく。すると、先と同様、段差部１０３ａの角部１０３ａＲが閉める力に屈して撓み、ついには固定ねじの首下部分を段差部１０３ａがくぐり抜けて、ねじ頭部が大孔部１０３の部分を、ねじ胴体部が小孔部１０２の部分をくぐり抜けることにより、端子覆い部１０１を閉状態とすることができる。
【００５０】
そして、固定ねじ３００を締め付けていく。およそ１回転右に回すことで図６の状態に端子覆い部１０１が取付固定される。固定ねじ３００が端子覆い部１０１を介して端子台２００に締め付けられると回転が止まり、取付固定されたことを視覚的にも感覚的にも把握することが可能である。また、固定ねじ３００を締め付けていくことにより、確実な固定状態を維持することができる。
【００５１】
端子ねじに複数本の電線を取付けた場合、端子ねじの上方に、端子台の隔壁２０３及び側壁２０１、２０２よりも電線の被覆が盛り上がることがある。このような場合、少々の盛り上がりであれば、端子覆い部１０１を固定ねじ３００で締め付けていくことで、該盛り上がりを押さえることが可能で、端子覆い部１０１が開いてしまい端子ねじが露出することを規制できる。
【００５２】
このように、端子台２００への端子カバー１００の取付解除、及び取付固定を、固定ねじ３００を用いながらも、所定量だけねじを回転させることにより、端子カバーの閉状態から開状態への移行が簡単に行えるとともに、開状態を一時的に保持することができ、また、開状態から閉状態への移行も簡単確実に行うことができる。
【００５３】
また、端子覆い部１０１の端子台２００への確実な固定状態を維持することができる。さらに、端子覆い部１０１が端子台２００に取り付けられたことが視覚的にも感覚的にも把握することができ、確かな取付感を得ることができる。
【００５４】
尚、本発明は、上記実施形態に限定されるものではなく、本発明の要旨を逸脱しない範囲で種々の変更が可能である。
【００５５】
例えば、固定ねじ３００を所定量分端子台２００から突出させるために、固定ねじを回す回転数は、１回転のみならず、ねじのピッチを変更することにより、より少なく０．５回転としてもよいし、より多く１．５回転などとしてもよく、適宜回転数の大小を定めるとよい。
【００５６】
また、端子台２００に対して、端子台支持部１０５及び端子覆い部１０１からなる端子カバーを取り付ける形態のほか、端子台２００に対して直接端子覆い部１０１をヒンジ部１０４を介して形成してもよい。さらに、ヒンジ部１０４を薄肉による形成のほか、蝶番や端子台の壁部に設けられた穴部に端子覆い部１０１に形成した突部が嵌まり込んで回動する形態としてもよい。
【符号の説明】
【００５７】
１００  端子カバー
１０１  端子覆い部
１０２  小孔部
１０３  大孔部
１０３ａ  段差部
１０３ａＲ  角部
１０４  ヒンジ部
１０５  端子台支持部
２００  端子台
２０１  側壁
２０２  側壁
２０３  隔壁
２０４  端子ねじ
２０５  端子ねじ
３００  固定ねじ
【図１】
2014110116.tif 000003
【図２】
2014110116.tif 000004
【図３】
2014110116.tif 000005
【図４】
2014110116.tif 000006
【図５】
2014110116.tif 000007
【図６】
2014110116.tif 000008
【図７】
2014110116.tif 000009
【図８】
2014110116.tif 000010
【図９】
2014110116.tif 000011
【図１０】
2014110116.tif 000012
【図１１】
2014110116.tif 000013